(57)【特許請求の範囲】
【請求項１】
地面又は基礎の上に設置され、外界と仕切られた建屋内空間を画成する天井壁及び縦壁を有し、その内部に搬入された揮発性有機化合物を含む土壌をその内部の床面の上に収容する土壌収容建屋と、
前記土壌収容建屋内の土壌の上に粉体又は粒子状の酸化カルシウムを散布する酸化カルシウム散布手段と、
その後部に耕耘装置を有し、前記土壌収容建屋内の土壌の上を走行するトラクタと、
前記土壌収容建屋内において前記酸化カルシウム散布手段の最上部より高く、かつ前記トラクタの最上部よりも高い位置に配置され、加圧状態にある炭酸水を放出して土壌に散布する炭酸水散布手段と、
前記土壌収容建屋の外部に配置され、前記土壌収容建屋内の空気を取り入れて該空気で炭化水素を含む気体燃料を燃焼させる燃焼炉と、
前記燃焼炉の燃焼ガスの一部又は全部を取り入れ、加圧して吐出する燃焼ガス加圧器と、
前記燃焼ガス加圧器から吐出された燃焼ガスを、加圧状態で水と接触させ、燃焼ガス中の二酸化炭素を水に溶解させて加圧状態にある炭酸水を生成する炭酸水生成器と、
前記炭酸水生成器で生成された加圧状態にある炭酸水を前記炭酸水散布手段に供給する炭酸水供給手段とを備えている土壌浄化システムであって、
前記炭酸水散布手段は、それぞれ前記土壌収容建屋内に設定された複数の炭酸水散布区画に個別に炭酸水を散布する複数の区画散布器と、前記区画散布器のうちのどの区画散布器から炭酸水を散布するかを制御する炭酸水散布制御器とを有し、
前記複数の区画散布器は、それぞれ、加圧状態にある炭酸水を通す炭酸水通路と、前記炭酸水通路を開閉する開閉弁と、前記炭酸水通路に接続され前記開閉弁が開かれたときに炭酸水を放出する炭酸水散布器とを有し、
前記炭酸水散布制御器は、ある炭酸水散布区画に炭酸水を散布するときに、該炭酸水散布区画に対応する区画散布器の開閉弁を開いて、該区画散布器から炭酸水を放出させるように構成されていることを特徴とする土壌浄化システム。
【請求項２】
前記燃焼ガス加圧器に取り入れられる燃焼ガスを冷却する燃焼ガス冷却器を備えていることを特徴とする、請求項１に記載の土壌浄化システム。
【請求項３】
前記炭酸水供給手段は、前記炭酸水生成器によって生成された加圧状態にある炭酸水を貯留する炭酸水貯槽と、
前記炭酸水貯槽内の加圧状態にある炭酸水を、炭酸水供給管を介して前記炭酸水散布器の炭酸水通路に供給する炭酸水供給ポンプとを有することを特徴とする、請求項１又は２に記載の土壌浄化システム。
【請求項４】
前記酸化カルシウム散布手段は、粉体又は粒子状の酸化カルシウムを収容する酸化カルシウム貯槽と、前記酸化カルシウム貯槽内の酸化カルシウムを土壌の上に散布するカルシウム散布装置とを搭載している自動車であることを特徴とする、請求項１〜３のいずれか１つに記載の土壌浄化システム。
【請求項５】
前記トラクタは、
該トラクタの後部に付設され、下側が開かれた箱状の空間部を形成する上壁及び周壁を有し、前記耕耘装置の上方及び側方を覆う耕耘装置カバーと、
該トラクタの内燃機関の排気通路に接続され、前記耕耘装置カバー内又は前記耕耘装置カバーの下方において前記耕耘装置によって耕耘されている土壌に前記内燃機関の排気ガスを吹き付ける排気ガス吹付手段とを備えていることを特徴とする、請求項１〜４のいずれか１つに記載の土壌浄化システム。
【請求項６】
前記トラクタの位置を検出して前記炭酸水散布制御器に送信するトラクタ位置検出手段が設けられていて、
前記炭酸水散布制御器は、前記トラクタがある炭酸水散布区画を走行しているときに、前記トラクタ位置検出手段によって検出された前記トラクタの位置に基づいて、トラクタ走行方向に関して前記トラクタが走行している炭酸水散布区画の前側に隣接する炭酸水散布区画に炭酸水が散布されるように、前記複数の区画散布器の開閉弁を開閉制御することを特徴とする、請求項１〜５のいずれか１つに記載の土壌浄化システム。
【請求項７】
前記トラクタが複数台配備されていて、
前記トラクタ位置検出手段は、前記複数のトラクタの位置を検出して前記炭酸水散布制御器に送信し、
前記炭酸水散布制御器は、前記トラクタ位置検出手段によって検出された前記複数のトラクタの位置に基づいて、前記複数のトラクタが走行している各炭酸水散布区画の前側に隣接する各炭酸水散布区画に炭酸水が散布されるように、前記複数の区画散布器の開閉弁を開閉制御することを特徴とする、請求項６に記載の土壌浄化システム。
【発明の詳細な説明】
【技術分野】
【０００１】
本発明は、揮発性有機化合物（ＶＯＣ：Volatile Organic Compound）を含む大量の土壌を土壌収容建屋の内部に搬入し、酸化カルシウムと炭酸水とを用いて該土壌の温度を高め、該土壌中の揮発性有機化合物を気化させて除去するようにした土壌浄化システムに関するものである。
【背景技術】
【０００２】
一般に、揮発性有機化合物（以下「ＶＯＣ」という。）を製造又は使用する施設の敷地又は跡地の土壌はＶＯＣを含んでいるが、その周囲の環境の悪化を防止するために、このようなＶＯＣを含む土壌（以下「ＶＯＣ含有土壌」という。）はＶＯＣを除去して浄化する必要がある。また、ＶＯＣを製造又は使用する施設の敷地又は跡地を掘削した場合、掘削によって生じたＶＯＣ含有土壌を、そのまま投棄したり、埋め立て又は盛土に使用したりすると、その周囲の環境を悪化させる。そこで、ＶＯＣ含有土壌を浄化する土壌浄化装置又は土壌浄化方法が種々提案されている（例えば、特許文献１〜４参照）。
【０００３】
具体的には、ＶＯＣ含有土壌を、該ＶＯＣ含有土壌が生じた土地（以下「原位置」という。）で浄化するようにした土壌浄化装置が種々提案されている（例えば、特許文献１、２参照）。また、ＶＯＣで汚染された土地を掘削することにより生じたＶＯＣ含有土壌を受け入れて浄化するプラント型の土壌浄化装置も種々提案されている（例えば、特許文献３、４参照）。
【先行技術文献】
【特許文献】
【０００４】
【特許文献１】特開２０１０−２２７７３３号公報
【特許文献２】特許第３５８６８４１号公報
【特許文献３】特開２００７−２０９９１５号公報
【特許文献４】特開２０１２−１６１７６８号公報
【発明の概要】
【発明が解決しようとする課題】
【０００５】
しかしながら、例えば特許文献１に開示された、ＶＯＣ含有土壌を原位置で浄化するようにした従来の土壌浄化装置又は土壌浄化方法では、例えば地面の下の深い位置に空気を供給する配管等を土中に埋設する必要があり、したがって装置一式を他の土地に移動させ又は移設するのが容易でないので、ＶＯＣで汚染された散在する土地のＶＯＣ含有土壌を浄化するのには適していない、といった問題がある。とくに、広い地域にわたって多数の土地で発生したＶＯＣ含有土壌を受け入れて浄化する事業を営む者にとっては、このような土壌浄化装置又は土壌浄化方法は実用的なものではない。
【０００６】
また、例えば特許文献４に開示された、掘削により生じたＶＯＣ含有土壌を受け入れて浄化するようにした従来のプラント型の土壌浄化装置は、例えば特定の箇所のＶＯＣで汚染された土地におけるシールド工事等で発生するＶＯＣ含有土壌を容器に受け入れて該容器内で浄化するものであり、その処理量ないしは処理能力は比較的小さいものである。このため、広い地域にわたってＶＯＣで汚染された多数の土地で発生する大量のＶＯＣ含有土壌（例えば、数百〜数千トン／日）を受け入れて浄化する事業を営む者にとって実用的なものではない、といった問題がある。
【０００７】
本発明は、上記従来の問題を解決するためになされたものであって、広い地域にわたって多数の土地で発生する大量のＶＯＣ含有土壌を受け入れて効果的に浄化することができる土壌浄化システムを提供することを解決すべき課題とする。
【課題を解決するための手段】
【０００８】
上記課題を解決するためになされた、本発明に係る土壌浄化システムは、土壌収容建屋と、酸化カルシウム散布手段と、トラクタと、炭酸水散布手段と、燃焼炉と、燃焼ガス加圧器と、炭酸水生成器と、炭酸水供給手段とを備えている。ここで、土壌収容建屋は、地面又は基礎（例えば、ベタ基礎）の上に設置され、外界と仕切られた建屋内空間を画成する天井壁及び縦壁を有し、その内部に搬入されたＶＯＣ含有土壌をその内部の床面（又は地面）の上に収容する。酸化カルシウム散布手段は、土壌収容建屋内の土壌の上に粉体又は粒子状の酸化カルシウム（生石灰；ＣａＯ）を散布する。トラクタは、その後部に耕耘装置を有し、土壌収容建屋内の土壌の上を走行する。炭酸水散布手段は、土壌収容建屋内において酸化カルシウム散布手段の最上部より高く、かつトラクタの最上部よりも高い位置に配置され、加圧状態にある炭酸水を放出して土壌に散布する。燃焼炉は、土壌収容建屋の外部に配置され、土壌収容建屋内の空気を取り入れて該空気で炭化水素を含む気体燃料を燃焼させる。燃焼ガス加圧器は、燃焼炉の燃焼ガスの一部又は全部を取り入れ、加圧して吐出する。炭酸水生成器は、燃焼ガス加圧器から吐出された燃焼ガスを、加圧状態で水と接触させ、燃焼ガス中の二酸化炭素を水に溶解させて加圧状態にある炭酸水を生成する。炭酸水供給手段は、炭酸水生成器で生成された加圧状態にある炭酸水を炭酸水散布手段に供給する。
【０００９】
本発明に係る土壌浄化システムを構成する炭酸水散布手段は、それぞれ土壌収容建屋内に設定された複数の炭酸水散布区画に個別に炭酸水を散布する複数の区画散布器と、これらの区画散布器のうちのどの区画散布器から炭酸水を散布するかを制御する炭酸水散布制御器とを有する。これらの複数の区画散布器は、それぞれ、加圧状態にある炭酸水を通す炭酸水通路と、この炭酸水通路を開閉する開閉弁と、炭酸水通路に接続され開閉弁が開かれたときに炭酸水を放出する炭酸水散布器とを有する。炭酸水散布制御器は、ある（任意の）炭酸水散布区画に炭酸水を散布すべきときに、該炭酸水散布区画に対応する区画散布器の開閉弁を開いて、該区画散布器から炭酸水を放出させるように構成されている。
【００１０】
本発明に係る土壌浄化システムは、燃焼ガス加圧器に取り入れられる燃焼ガスを冷却する燃焼ガス冷却器を備えているのが好ましい。また、本発明に係る土壌浄化システムにおいては、炭酸水供給手段は、炭酸水生成器によって生成された加圧状態にある炭酸水を貯留する炭酸水貯槽と、炭酸水貯槽内の加圧状態にある炭酸水を、炭酸水供給管を介して炭酸水散布器の炭酸水通路に供給する炭酸水供給ポンプとを有しているのが好ましい。
【００１１】
本発明に係る土壌浄化システムにおいて、酸化カルシウム散布手段は、粉体又は粒子状の酸化カルシウムを収容する酸化カルシウム貯槽と、酸化カルシウム貯槽内の酸化カルシウムを土壌の上に散布するカルシウム散布装置とを搭載している自動車であるのが好ましい。
【００１２】
本発明に係る土壌浄化システムにおいて、トラクタは、該トラクタの後部に付設され下側が開かれた箱状の空間部を形成する上壁及び周壁を有し、耕耘装置の上方及び側方を覆う耕耘装置カバーと、該トラクタの内燃機関の排気通路に接続され耕耘装置カバー内又は耕耘装置カバーの下方において耕耘装置によって耕耘されている土壌に内燃機関の排気ガスを吹き付ける排気ガス吹付手段とを備えていてもよい。
【００１３】
本発明に係る土壌浄化システムにおいては、トラクタの位置を検出して炭酸水散布制御器に送信するトラクタ位置検出手段が設けられ、炭酸水散布制御器は、トラクタがある（任意の）炭酸水散布区画を走行しているときに、トラクタ位置検出手段によって検出されたトラクタの位置に基づいて、トラクタ走行方向に関して前記トラクタが走行している炭酸水散布区画の前側に隣接する炭酸水散布区画に炭酸水が散布されるよう、複数の区画散布器の開閉弁を開閉制御するようになっているのが好ましい。また、本発明に係る土壌浄化システムにおいて、トラクタが複数台配備されている場合、トラクタ位置検出手段は、複数のトラクタの位置を検出して炭酸水散布制御器に送信し、炭酸水散布制御器は、トラクタ位置検出手段によって検出された複数のトラクタの位置に基づいて、複数のトラクタが走行している各炭酸水散布区画の前側に隣接する各炭酸水散布区画に炭酸水が散布されるよう、複数の区画散布器の開閉弁を開閉制御するようになっているのが好ましい。
【発明の効果】
【００１４】
本発明に係る土壌浄化システムによれば、土壌収容建屋内のＶＯＣ含有土壌の上に酸化カルシウムを散布した上で、トラクタの前方の炭酸水散布区画に炭酸水を散布しつつトラクタを耕耘走行させて耕耘装置でＶＯＣ含有土壌を耕耘すれば、酸化カルシウムと、水及び二酸化炭素との反応によって発生する熱により、耕耘されているＶＯＣ含有土壌の温度が上昇し、該ＶＯＣ含有土壌中のＶＯＣが気化して空気中に放出される。ここで、炭酸水はかなり大量の二酸化炭素を伴っているので、酸化カルシウム又は水酸化カルシウムと二酸化炭素の反応が盛んに起こり、ＶＯＣ含有土壌の温度の上昇が促進される。よって、ＶＯＣ含有土壌中のＶＯＣを効果的に除去してＶＯＣ含有土壌を効果的に浄化することができる。また、空気中に気化したＶＯＣを燃焼炉で燃焼又は分解させて無害化することができる。
【００１５】
一方、土壌収容建屋は、基本的には天井壁と縦壁とで建屋内空間を画成する単純な箱型の建造物であるので、その内部に適宜に支柱を設置すれば、床面積ないしは建屋面積が非常に大きく大量のＶＯＣ含有土壌を搬入ないしは収容することができる土壌収容建屋を容易に設置することができる。そして、広い床面積（例えば、１０００〜２０００ｍ２）をもつ土壌収容建屋内に複数台ないしは多数台のトラクタを投入することにより、非常に大量のＶＯＣ含有土壌を短時間で効果的に浄化することができる。したがって、本発明に係る土壌浄化システムは、ＶＯＣで汚染された多数の土地で広域的に発生する大量のＶＯＣ含有土壌（例えば、数百〜数千トン／日）を受け入れて浄化する事業においても有効に用いることができる。
【図面の簡単な説明】
【００１６】
【図１】本発明の実施形態に係る土壌浄化システムの構成を模式的に示す一部断面立面図である。
【図２】図１に示す土壌浄化システムの炭酸水散布装置を構成する１つの区画散布器の構成を模式的に示す斜視図である。
【図３】土壌収容建屋内に設けられた複数（多数）の炭酸水散布区画及び区画散布器の配列形態の一例を模式的に示す平面図である。
【図４】図１に示す土壌浄化システムで用いられるトラクタの模式的な一部断面側面図である。
【図５】図４に示すトラクタの耕耘装置まわりの構成要素の構成を模式的に示す斜視図である。
【発明を実施するための形態】
【００１７】
以下、添付の図面を参照しつつ、本発明の実施形態に係る土壌浄化システムを具体的に説明する。
図１に示すように、本発明に係る土壌浄化システム１においては、地面２又は地面２の上の基礎（例えば、コンクリート製のベタ基礎）の上に設置され、その床面３（又は地面）の上にＶＯＣ含有土壌４又は浄化された清浄土壌４’を収容する土壌収容建屋５が設けられている。土壌収容建屋５は、外界と仕切られ基本的には外界に対して閉じられた建屋内空間６を画成する天井壁７（又は屋根）及び縦壁８（又は側壁）を有している。
【００１８】
この土壌収容建屋５内へは、ダンプトラック（図示せず）を用いて大量のＶＯＣ含有土壌４が搬入される。なお、ＶＯＣ（揮発性有機化合物）としては、例えば第一種特定有害物質（四塩化炭素、1,2-ジクロロエタン、1,1-ジクロロエチレン、シス1,2-ジクロロエチレン、1,3-ジクロロプロペン、ジクロロメタン、テトラクロロエチレン、1,1,1-トリクロロエタン、1,1,2-トリクロロエタン、トリクロロエチレン）などが挙げられる。
【００１９】
土壌収容建屋５の床面積ないしは建屋面積は、予定しているＶＯＣ含有土壌の処理量、ＶＯＣ含有土壌の浄化に要する時間等に応じて好ましく設定されるが、各地のＶＯＣ含有土壌４を受け入れて浄化する事業を営む場合は、例えば、１つの土壌収容建屋５の床面積を１０００〜２０００ｍ２程度とし、ＶＯＣ含有土壌４の処理量が多い場合は、このような土壌収容建屋５を複数設けるのが実用的である。また、土壌収容建屋５の高さは、ダンプトラックの最大限に傾斜している荷台の高さ（６〜７ｍ程度）より数メートル（例えば２〜３ｍ）高ければ、とくに制限されないが、１０〜１２ｍ程度とするのが実用的である。なお、ダンプトラックの最大限に傾斜している荷台の高さは、一般に、土壌収容建屋５内に配備される他の種々の車両の最上部よりもかなり高い。
【００２０】
詳しくは図示していないが、ＶＯＣ含有土壌を積載しているダンプトラックは、土壌収容建屋５に設けられた開閉可能な車両出入口（図示せず）を経由して土壌収容建屋５内に入り、その荷台を傾斜させて重力によりＶＯＣ含有土壌を床面３の上に落下させる。そして、ダンプトラックから落下した山盛り状のＶＯＣ含有土壌４は、ブルドーザ１０を用いて、その上面（表面）がほぼ水平な平坦面となるように地ならし（平坦化）され、かつキャタピラで、車輪で走行する車両がその上を走行できる程度に踏み固められる。なお、ローラ車を用いてＶＯＣ含有土壌４を踏み固めるようにしてもよい。
【００２１】
ＶＯＣ含有土壌４を下したダンプトラックには、ブルドーザ１０及び油圧ショベル１１（パワーショベル）を用いて、ＶＯＣが除去され浄化された清浄土壌４’が積載される。このように清浄土壌４’を積載したダンプトラックは、車両出入口を経由して土壌収容建屋５を退去する。このようなＶＯＣ含有土壌４の搬入及び清浄土壌４’の搬出は、複数のダンプトラックを用いて次々に実施される。なお、土壌収容建屋５には、ＶＯＣ含有土壌４が載置された領域と清浄土壌４’が載置された領域とが、水平方向に離間して存在するので、ダンプトラックは、ＶＯＣ含有土壌を下した後、適宜に移動して清浄土壌４’を積載する。
【００２２】
土壌収容建屋５内には、地ならし（平坦化）され、適度に踏み固められたＶＯＣ含有土壌４（例えば厚さ０．３〜０．６ｍ）の上面に、粉体の酸化カルシウム又は粒子状（例えば、粒子径が０．１〜０．５ｍｍの粒子）の酸化カルシウムを散布する酸化カルシウム散布車１２（以下「ＣａＯ散布車１２」という。）が配備されている。ＣａＯ散布車１２は、粉体又は粒子状の酸化カルシウムを収容する酸化カルシウム貯槽１３と、酸化カルシウム貯槽１３内の酸化カルシウムを土壌の上におおむね均一に散布するカルシウム散布装置１４とを備えている。ＣａＯ散布車１２は全輪駆動（４輪駆動）の車両であり、走行環境が悪いＶＯＣ含有土壌４又は清浄土壌４’の上を支障なく走行することができる。さらに、土壌収容建屋５内には、ＶＯＣ含有土壌４又は清浄土壌４’の上面を耕耘走行し又は非耕耘走行するトラクタ１５が配備されている。なお、ブルドーザ１０、油圧ショベル１１、ＣａＯ散布車１２及びトラクタ１５は、それぞれ、土壌収容建屋５の床面積ないしはＶＯＣ含有土壌４の処理量に応じて複数台配備するのが好ましい。
【００２３】
また、土壌収容建屋５内には、ＶＯＣ含有土壌４の表面に炭酸水（二酸化炭素が溶解し及び／又は気泡状の二酸化炭素を含む水）を散布又は放出する炭酸水散布装置１６（炭酸水散布手段）が配設されている。この炭酸水散布装置１６は、ダンプトラック、油圧ショベル１０、ブルドーザ１１、ＣａＯ散布車１２、トラクタ１５等の走行又は動作の妨げとならないように、比較的高い位置（例えば、床面３の上方８〜１０ｍ）に配設されている。そして、炭酸水散布装置１６は、それぞれ土壌収容建屋５内に設定された複数ないしは多数の炭酸水散布区画Ｒ（図３参照）に個別に炭酸水を散布する複数ないしは多数の区画散布器１７と、コンピュータを備えた炭酸水散布制御器１８（図２参照）とを備えている。炭酸水散布制御器１８は、各区画散布器１７の炭酸水散布態様、例えばどの区画散布器１７から炭酸水を散布するかなどを制御する。
【００２４】
図２に示すように、炭酸水散布装置１６を構成する各区画散布器１７は、それぞれ、上下方向に伸び加圧状態にある炭酸水を通す炭酸水通路１９と、この炭酸水通路１９を開閉する電磁開閉弁２０と、炭酸水通路１９の下端部（先端部）に接続され電磁開閉弁２０が開かれたときに炭酸水を放出する炭酸水散布器２１とを備えている。ここで、炭酸水通路１９の上端部は、炭酸水散布装置１６全体に炭酸水を供給する炭酸水供給管２２（管路）に接続されている。
【００２５】
炭酸水散布器２１は、炭酸水供給管２２を介して区画散布器１７に供給される加圧された炭酸水を、複数ないしは多数のノズル２３を介しておおむね下向きに放出ないしは散布し、該区画散布器１７に対応する炭酸水散布区画Ｒ（図３参照）の土壌の表面におおむね均一に散布するようになっている。また、炭酸水散布制御器１８は、ある（任意の）炭酸水散布区画Ｒに炭酸水を散布すべきときに、該炭酸水散布区画Ｒに対応する区画散布器１７の電磁開閉弁２０を開いて、該区画散布器１７から炭酸水を放出させるようになっている。ここで、電磁開閉弁２０は炭酸水散布制御器１８によって開閉制御されるようになっている。
【００２６】
炭酸水散布器２１は、炭酸水通路１９の下端部に接続され水平方向に伸びる１本の中央管２４と、水平面内において中央管２４と垂直な方向に伸びる互いに平行な複数の枝管２５とを有している。各枝管２５は中央管２４に接続される一方、その下部に前記の複数ないしは多数のノズル２３が取り付けられている。ここで、炭酸水散布器２１は、トラクタ１５が耕耘走行する方向に中央管２４が伸びるように配置される。なお、トラクタ１５の耕耘走行は、土壌収容建屋５が平面視で矩形の場合は、この矩形の長辺と平行な方向に行うのが好ましい。
【００２７】
中央管２４の長さＬ１は、例えばトラクタ１５の前後方向の長さないしは全長（例えば、４〜６ｍ）の１〜３倍程度の長さに設定され、枝管２５の長さＬ２は、例えばトラクタ１５の耕耘装置の車幅方向の寸法（例えば、２〜３ｍ）と同程度の長さに設定される。互いに平行な枝管２５の間隔は、例えば０．１〜０．３ｍ程度に設定される。また、各枝管２５に取り付けられる各ノズル２３の間隔は、例えば０．０５〜０．１５ｍ程度に設定される。したがって、炭酸水散布器２１は、ＶＯＣ含有土壌４の上において、平面視で縦及び横の寸法がそれぞれＬ１及びＬ２である矩形の領域と、この領域より外側にやや広がった周辺領域（例えば、０．２〜０．５ｍ広がった領域）とに炭酸水を散布することができる。
【００２８】
図３中に破線で示すように、土壌収容建屋５の建屋内空間６は、平面視で矩形をなす複数ないしは多数の炭酸水散布区画Ｒに区画（区分け）されている。なお、各炭酸水散布区画Ｒ間には物理的な区画部材ないしは仕切り部材が存在するわけではなく、建屋内空間６が抽象的ないしは観念的に区画されているだけである。そして、これらの炭酸水散布区画Ｒにそれぞれ１つの区画散布器１７が配設されている。平面視では、炭酸水散布区画Ｒの形状は、区画散布器１７の全体的な形状、すなわち縦及び横の寸法がそれぞれＬ１及びＬ２である矩形の形状に対応するように設定されている。すなわち、平面視では、各炭酸水散布区画Ｒの形状は、該炭酸水散布区画Ｒ内に１つの区画散布器１７が、これと隣り合う区画散布器１７と適切な間隔（例えば、０．２〜０．３ｍ）を保って収容されるように設定される。換言すれば、平面視で矩形の各炭酸水散布区画Ｒ内に、全体的な形状が該炭酸水散布区画Ｒの矩形よりやや小さい矩形である１つの区画散布器１７が配設されている。
【００２９】
かくして、複数の区画散布器１７のうちの任意の区画散布器１７において、炭酸水散布制御器１８によって電磁開閉弁２０が開かれたときには、炭酸水供給管２２から供給される加圧された炭酸水が、その炭酸水散布器２１の各ノズル２３からおおむね下向きに放出され、この区画散布器１７の下方の炭酸水散布領域Ｒ（平面視で、縦及び横の寸法がそれぞれＬ１及びＬ２である矩形よりやや広い領域）に散布される。ここで、炭酸水散布制御器１８は、任意の１つ又は複数の区画散布器１７の電磁開閉弁２０を、任意のタイミング及び開弁時間で開閉することができる。すなわち、炭酸水散布制御器１８は、任意の炭酸水散布区画Ｒに任意のタイミング及び任意の開弁時間で炭酸水を散布することができる。
【００３０】
再び図２に示すように、土壌浄化システム１には、土壌収容建屋５内のトラクタ１５の位置を検出するトラクタ位置検出手段２７が設けられている。詳しくは図示していないが、トラクタ位置検出手段２７は、各トラクタ１５に搭載された発信機（図示せず）から発信される該トラクタ１５に固有の波長又は波形をもつ電波を複数の地点で検出することにより、土壌収容建屋５内における該トラクタ１５の位置を検出し、検出結果を炭酸水散布制御器１８に送信する。これにより、炭酸水散布制御器１８は、常時、走行中又は停止中の各トラクタ１５の位置を認識又は把握することができる。したがって、炭酸水散布制御器１８は、各トラクタ１５の位置に応じて、任意の炭酸水散布区画Ｒ（例えば走行中のトラクタ１５の前方の炭酸水散布区画Ｒなど）に、任意のタイミング及び任意の開弁時間で炭酸水を散布することができる。
【００３１】
再び図１に示すように、土壌浄化システム１には、土壌収容建屋５の外部に配置され、土壌収容建屋５内の空気を取り入れて該空気で燃料を燃焼させ、該燃焼による熱で水を気化させて水蒸気を生成するボイラ３０が設けられている。ボイラ３０には、燃焼炉３１と蒸発器３２とが設けられている。燃焼炉３１には、土壌収容建屋５内の空気がブロワ３３（送風機）により空気通路３４を介して供給される一方、燃料通路３５を介して炭化水素を含む気体燃料（例えば、天然ガス、プロパンガス等）が供給される。また、蒸発器３２には水供給管３６を介して水が供給される一方、該蒸発器３２によって生成されたスチームがスチーム供給管３７を介して、スチームを使用する各種機器（図示せず）に供給される。
【００３２】
土壌収容建屋５内の空気は、ブロワ３３により燃焼炉３１に送られ、気体燃料の燃焼に使用される。一方、土壌収容建屋５内の空気には、ＶＯＣ含有土壌４から気化して該空気中に放出されたＶＯＣが含まれているが、このＶＯＣは燃焼炉３１内で燃焼し又は分解され、完全に無害化される。ここで、土壌収容建屋５内には、このように燃焼炉３１に送られた空気に相応する量の外部の空気が、空気導入口（図示せず）又は車両出入口まわりの隙間等を経由して流入するので、土壌収容建屋５内は減圧状態とはならない。なお、蒸発器３２は、燃焼炉３１で生成される熱を有効利用するためのものであり、本発明にとって必須のものではない。したがって、このようなボイラ３０に代えて、単なる燃焼炉を設けるだけでもよい。
【００３３】
以下、燃焼炉３１（ボイラ３０）で発生する燃焼ガスを利用して加圧状態にある炭酸水を生成し、この加圧された炭酸水を、炭酸水供給管２２を介して炭酸水散布装置１６に供給する炭酸水生成システム４０を説明する。炭酸水生成システム４０は、水冷式の燃焼ガス冷却器４１と、燃焼ガス加圧器４２（圧縮器）と、水冷式のガスクーラ４３と、炭酸水を生成する炭酸水生成器４４と、炭酸水を貯留する炭酸水貯槽４５と、炭酸水を圧送する炭酸水輸送ポンプ４６とを備えている。
【００３４】
詳しくは図示していないが、燃焼ガス冷却器４１は、外周部に多数の伝熱フィンが取り付けられ内部を冷却水が流通する伝熱管４７が箱状のハウジング４８内に配設された水冷式の熱交換器であり、燃焼炉３１から排出される高温の燃焼ガスの一部又は全部を受け入れて、例えば常温〜８０℃まで冷却する。燃焼ガス加圧器４２は、燃焼ガス冷却器４１で冷却された燃焼ガスを、例えば３〜１０気圧（３０００００〜１００００００Ｐａ）まで連続的に加圧して吐出する。ガスクーラ４３は、燃焼ガス加圧器４２における断熱圧縮により温度が上昇した燃焼ガスを、例えば常温〜８０℃まで冷却する。
【００３５】
炭酸水生成器４４は、例えばラヒシリング等を用いた充填塔型式のガス吸収塔であり、その内部は加圧状態（例えば３〜１０気圧）に維持されている。そして、炭酸水生成器４４の下部にはガスクーラ４３から排出された燃焼ガスが供給される一方、上部には水が供給される。かくして、炭酸水生成器４４の充填層５０では、上昇する燃焼ガスと下降する水とが接触し、燃焼ガスに含まれる二酸化炭素が水に吸収され、加圧状態にある炭酸水が生成される。なお、加圧下における二酸化炭素の水に対する溶解度は非常に大きく、例えば常温で１０気圧の場合は、３〜４ｗｔ％であるものと推定される。
【００３６】
このように生成された炭酸水は、重力により炭酸水貯槽４５内に流下する。充填層５０を上昇した燃焼ガスは排気通路５１を介して大気中に排出される。炭酸水生成器４４の排気通路５１には、炭酸水生成器４４内を所定の加圧状態（例えば３〜１０気圧）に維持するためのバルブ５２が設けられている。なお、本発明において、炭酸水生成器４４は充填塔型式のガス吸収塔に限定されるものではなく、種々のガス吸収装置を用いることができる。例えば、スプレー塔、気泡塔、濡れ壁塔などを用いることができる。
【００３７】
炭酸水貯槽４５は密閉式のタンクであり、その内部に加圧状態にある炭酸水を貯留している。炭酸水貯槽４５内の炭酸水は、炭酸水輸送ポンプ４６により、炭酸水供給管２２を介して炭酸水散布装置１６に供給される。なお、炭酸水輸送ポンプ４６を設けず、炭酸水貯槽４５内の圧力を利用して、炭酸水供給管２２を介して炭酸水散布装置１６に炭酸水を供給するようにしてもよい。
【００３８】
かくして、炭酸水散布装置１６の各区画散布器１７において、電磁開閉弁２０が閉じられているときには、電磁開閉弁２０より上側（上流側）の炭酸水通路１９には、常時、加圧された炭酸水が供給（充満）されている。ここで電磁開閉弁２０が開かれると、炭酸水通路１９内の炭酸水は、その加圧状態をほぼ維持しつつ、ほぼ瞬時に電磁開閉弁２０より下側（下流側）の炭酸水通路１９と、中央管２４と、枝管２５とに供給（充満）される。
【００３９】
そして、枝管２５内の加圧状態にある炭酸水はノズル２３から下方に放出され、該区画散布器１７に対応する炭酸水散布区画ＲのＶＯＣ含有土壌４の上に散布される。その際、枝管２５内の加圧状態にある炭酸水は、ノズル２３から放出されたときに常圧まで圧力が低下し、水に対する二酸化炭素の溶解度が小さくなる。このため、炭酸水に溶解している二酸化炭素の一部は気化して多数の微細な気泡となる。したがって、ノズル２３から放出されＶＯＣ含有土壌４に到達した炭酸水ないしはその液滴には、二酸化炭素が溶解している一方、多数の微細な二酸化炭素の気泡が含まれている。
【００４０】
この直後に、後で詳しく説明するように、酸化カルシウムが散布される一方二酸化炭素が溶解しかつ二酸化炭素の気泡を含む炭酸水が散布されたＶＯＣ含有土壌４が、トラクタ１５によって耕耘される。その際、酸化カルシウム（又は水酸化カルシウム）は炭酸水中の水及び二酸化炭素と反応し、これらの反応熱によりＶＯＣ含有土壌４の温度が上昇し、ＶＯＣ含有土壌４中のＶＯＣが空気中に離脱する。
【００４１】
ところで、ノズル２３から放出されＶＯＣ含有土壌４に到達した炭酸水中に含まれる多数の微細な二酸化炭素の気泡の一部は、炭酸水から離脱して空気中に散逸する。そこで、炭酸水貯槽４５内の炭酸水に、少量ないしは微量（例えば、１０〜５０ｍｇ／Ｌ（ｐｐｍ））の界面活性剤を添加しておき、ノズル２３から放出されＶＯＣ含有土壌４に到達した炭酸水を泡立てさせ、この泡により炭酸水から離脱した二酸化炭素をＶＯＣ含有土壌４の表面又はその近傍に保持させるようにしてもよい。
【００４２】
このような界面活性剤としては、毒性がほとんどなくかつ生物分解性が高いことから、石鹸を用いるのが好ましい。このような石鹸としては、水に溶けやすくかつ泡立ち性（気泡力）の高いラウリン酸ナトリウム、ラウリン酸カリウム、ミリスチン酸ナトリウム、ミリスチン酸カリウム、オレイン酸ナトリウム、オレイン酸カリウムなどを用いるのが好ましい。そこで、炭酸水貯槽４５に界面活性剤を供給（添加）する界面活性剤供給手段５３が設けられている。
【００４３】
図４に示すように、トラクタ１５は、車体５５に搭載された内燃機関５６（例えば、ガソリンエンジン、ディーゼルエンジン等）を動力源とする全輪駆動（４輪駆動）の自動車であり、内燃機関５６の出力軸ないしはクランクシャフト（図示せず）のトルクが、変速機５７（トランスミッション）及びトルク伝達機構（図示せず）を介して、前輪５８及び後輪５９に伝達されるようになっている。
【００４４】
トラクタ１５は、詳しくは図示していないが、運転席６０に乗っている運転者がステアリングホイール、アクセルペダル、ブレーキペダル、シフトレバー等の操作機器を操作する有人運転を行うことができるようになっている。さらに、トラクタ１５は、無線通信装置（図示せず）及び車載ビデオカメラ（図示せず）等を用いて、土壌収容建屋５の外部から遠隔操作で無人運転を行うことができるようになっている。また、トラクタ１５には、その位置をトラクタ位置検出手段２７（図２参照）が検出できるように、該トラクタ１５に固有の波長又は波形をもつ電波を発信する発信機（図示せず）を搭載している。
【００４５】
トラクタ１５の後部ないしは後端部には、回転式の耕耘装置６１と、耕耘装置カバー６２と、排気ガス吹付器６３とが付設されている。耕耘装置６１は、耕耘軸６４（回転シャフト）に取り付けられ矢印Ｐで示す方向に回転してＶＯＣ含有土壌４を耕耘する複数の耕耘爪６５を有している。これらの耕耘爪６５へは、変速機５７の出力軸（図示せず）のトルクの一部が、動力伝達軸６６と動力伝達ケース６７とを介して伝達される。なお、複数の耕耘爪６５は、トラクタ１５の車幅方向に適当な間隔をあけて配置されている（図５参照）。耕耘装置６１は、車体５５内に配設された油圧シリンダ（図示せず）により、連結機構６９を介して上下に移動させることができるようになっている。
【００４６】
すなわち、トラクタ１５は、図示していないが、油圧シリンダの２つの油室に供給する油圧の供給状態を切り換えることにより、その運転状態を、耕耘装置６１を上側の位置に保持しＶＯＣ含有土壌４を耕耘せずに走行する状態（非耕耘走行）と、耕耘装置６１を下側の位置に保持しＶＯＣ含有土壌４を耕耘しつつ走行する状態（耕耘走行）とに切り換えることができる。なお、本明細書において、「耕耘」は、ほぼ水平方向に広がる種々の土壌を、耕耘爪等で鋤き返しながら、又は耕しながら砕き又はかき混ぜる操作を意味する。
【００４７】
図５に拡大して示すように、耕耘装置カバー６２は、上壁７１と左側壁７２と右側壁７３と前壁７４（図４参照）と後壁７５とを有する、下側が開かれた略直方体の箱形部材であり、耕耘装置６１の上方及び側方（前後左右）を覆う（囲む）ように形成されている。左側壁７２、右側壁７３及び前壁７４は、それぞれ、その下端がトラクタ１５の走行面（ＶＯＣ含有土壌４又は清浄土壌４’の上面）との接触を避けるため、該下端が後輪５９（図４参照）の最下部よりもやや上側（例えば、５〜１５ｃｍ上側）の部位に位置するような形状に形成されている。
【００４８】
また、後壁７５は、耕耘時におけるＶＯＣ含有土壌４の後方への掻き出しの妨げとならないように、あるいは耕耘装置カバー６２内に耕耘されたＶＯＣ含有土壌４が過剰に滞留しないように、その下端が左側壁７２又は右側壁７３の下端よりも多少高い部位（例えば、５〜１０ｃｍ上、あるいは耕耘軸６４とおおむね同一の高さ）に位置するような形状に形成される。なお、前壁７４を設けず、トラクタ１５の車体５５の後端面を前壁７４として利用してもよい。
【００４９】
排気ガス吹付器６３は、内燃機関５６（図４参照）の、車体前後方向に伸びる排気通路７７に接続された、車体左右方向に伸びる排気管７８と、排気管７８に取り付けられ、耕耘装置カバー６２内又は耕耘装置カバー６２の下方において耕耘装置６１によって耕耘されているＶＯＣ含有土壌４に排気ガスを吹き付ける複数のノズル７９とを備えている。
【００５０】
なお、トラクタ１５として、内燃機関５６の排気ガスを耕耘されているＶＯＣ含有土壌４に吹き付ける機構を備えていない普通のトラクタ、すなわち図４及び図５に示すトラクタ１５から耕耘装置カバー６２と排気ガス吹付器６３とを除去したトラクタを用いてもよい。すなわち、本発明においては、炭酸水によって二酸化炭素がＶＯＣ含有土壌４に供給されるので、内燃機関５６の排気ガスを耕耘されているＶＯＣ含有土壌４に吹き付ける機構は、より多くの二酸化炭素をＶＯＣ含有土壌４に供給してＶＯＣ含有土壌４の温度をより効果的に高めるものである。
【００５１】
以下、土壌浄化システム１におけるＶＯＣ含有土壌４の具体的な浄化の手順ないしは浄化方法を説明する。ＶＯＣ含有土壌４の浄化の手順（方法）は、およそ下記の５つの工程、すなわち土壌搬入工程と、地ならし工程と、酸化カルシウム散布工程と、炭酸水散布・耕耘工程と、ＶＯＣ処理・炭酸水生成工程とを有している。以下、これらの工程における具体的な操作ないしは動作を説明する。
【００５２】
（１）  土壌搬入工程
土壌搬入工程では、荷台にＶＯＣ含有土壌を積載したダンプトラックを、外部から車両出入口を経由して土壌収容建屋５内に進入させ、荷台を傾斜させてＶＯＣ含有土壌を重力で土壌収容建屋５の床面３ないしは地面の上に自然落下させる。これにより、ＶＯＣ含有土壌は、土壌収容建屋５の床面３の上に山盛り状に載置される。このようなダンプトラックによるＶＯＣ含有土壌の搬入は、所定量のＶＯＣ含有土壌が土壌収容建屋５内に搬入されるまで（例えば、５０散布区画分の土壌、床面積５００ｍ２分の土壌等）、複数のダンプトラックを用いて次々に行われる。
【００５３】
（２）  地ならし工程
地ならし工程では、土壌収容建屋５の床面３の上に載置された多数の山盛り状のＶＯＣ含有土壌４を、ブルドーザ１０を用いて、その上面（表面）がおおむね水平かつ平坦となるように地ならし（平坦化）する。これと同時に、ブルドーザ１０のキャタピラで、ＶＯＣ含有土壌４を、車輪で走行する車両、すなわちＣａＯ散布車１２、トラクタ１５、ダンプトラック等がその上を走行することができる程度に踏み固める。なお、ローラ車（ロードローラ）を用いてＶＯＣ含有土壌４を踏み固めるようにしてもよい。
【００５４】
（３）  酸化カルシウム散布工程
酸化カルシウム散布工程では、土壌収容建屋５内の地ならしされたＶＯＣ含有土壌４（例えば、厚さ０．３〜０．６ｍ）の上面ないしは表面に、ＣａＯ散布車１２を用いて、粉体又は粒子状の酸化カルシウムを散布する。酸化カルシウムの散布量は、多ければ多い程、後で説明するＶＯＣ含有土壌４の温度上昇効果、すなわちＶＯＣ含有土壌４からのＶＯＣ除去効果が高まるが、ＶＯＣ含有土壌１トン当たり１０〜１００ｋｇ程度、とくに４０〜６０ｋｇ程度の酸化カルシウムを散布するのが実用的である。
【００５５】
（４）  炭酸水散布・耕耘工程
炭酸水散布・耕耘工程では、トラクタ１５を土壌収容建屋５内のＶＯＣ含有土壌４の上を走行させ、回転式の耕耘装置６１の耕耘爪６５で土壌を耕耘する一方、走行しているトラクタ１５の前方の炭酸水散布区画ＲのＶＯＣ含有土壌４の上に炭酸水を放出ないしは散布する。
【００５６】
具体的には、まずトラクタ位置検出手段２７によって検出されたトラクタ１５の位置が炭酸水散布制御器１８に送信される。そして、炭酸水散布制御器１８は、例えばトラクタ走行方向に関してトラクタ１５が耕耘走行している炭酸水散布区画Ｒの前側に隣接する１つ又は複数の炭酸水散布区画Ｒに炭酸水が散布されるように、該炭酸水散布区画Ｒに対応する区画散布器１７の電磁開閉弁２０を、所定時間（所定量の炭酸水を散布することができる時間）開弁する。トラクタ１５が走行すれば、これに伴って炭酸水を散布する炭酸水散布区画Ｒも、炭酸水散布制御器１８によって前方に移動させられる。炭酸水の散布量は、酸化カルシウムの散布量に対して３０〜４０重量パーセントの範囲に設定するのが実用的である。
【００５７】
この炭酸水散布・耕耘工程では、トラクタ１５は、その上を通り過ぎる少し前（例えば５〜１０秒前）に炭酸水が散布されている、上面（表面）に酸化カルシウムが散布されたＶＯＣ含有土壌４の上を、耕耘爪６５（耕耘装置６１）でＶＯＣ含有土壌４を耕耘しつつ走行する。その際、炭酸水と酸化カルシウムとＶＯＣ含有土壌４とがかき混ぜられ、水と、炭酸水中に溶解しもしくは気泡として存在している二酸化炭素含又は泡の内側に収容されている二酸化炭素（炭酸水に界面活性剤ないしは石鹸が添加されている場合）と、内燃機関５６の排気ガスに含まれている二酸化炭素と、酸化カルシウム又は水酸化カルシウムとが下記の反応式（１）〜（３）で示すように迅速に反応する。
ＣａＯ＋Ｈ２Ｏ→Ｃａ(ＯＨ)２＋65kJ/g-mol…………………………………（１）
ＣａＯ＋ＣＯ２→ＣａＣＯ３＋175kJ/g-mol …………………………………（２）
Ｃａ(ＯＨ)２＋ＣＯ２→ＣａＣＯ３＋Ｈ２Ｏ＋69kJ/g-mol……………………（３）
【００５８】
ここで、内燃機関３６の排気ガスには、例えば１５〜２０体積％の二酸化炭素が含まれている。そして、耕耘装置６１ないしは耕耘爪６５の上方と前後左右の大部分は、耕耘装置カバー６２によって覆われている（囲まれている）ので、排気ガスノズル７９から排出された排気ガスは、耕耘爪６５によって耕耘されているＶＯＣ含有土壌４の周囲に比較的長く滞留する。
【００５９】
かくして、反応式（１）に係る発熱反応により、酸化カルシウム１ｋｇ当たり約１１６０ｋＪ（６５×１０００/５６＝１１６０）、すなわち約２７８ｋｃａｌ（１１６０／４．１８＝２７８）の反応熱が生成される。その結果、例えば１トンのＶＯＣ含有土壌４に５０ｋｇの酸化カルシウムを散布した場合、このＶＯＣ含有土壌４に約１３９００ｋｃａｌ（２７８×５０＝１３９００）の熱が加えられる。
【００６０】
このため、例えば１トンのＶＯＣ含有土壌４に５０ｋｇの酸化カルシウムを散布した場合、このＶＯＣ含有土壌４に約１３９００ｋｃａｌ（２７８×５０＝１３９００）の熱が加えられるので、ＶＯＣ含有土壌４の熱容量を土壌の平均的な熱容量である０．２５ｋｃａｌ/ｋｇ・℃とすれば、その温度はおおむね５５℃上昇する（１３９００／（１０００×０．２５）＝５５）。
【００６１】
また、反応式（２）に係る発熱反応により、酸化カルシウム１ｋｇ当たり約７４８ｋｃａｌ（１７５×１０００／（５６×４．１８）＝７４８）の反応熱が生成され、反応式（３）に係る発熱反応により、水酸化カルシウム１ｋｇ当たり約２２３ｋｃａｌ（６９×１０００／（７４×４．１８））の反応熱が生成される。しかしながら、ＶＯＣ含有土壌４中のすべての酸化カルシウム又は水酸化カルシウムと反応することができる量の二酸化炭素が存在せず、また反応式（２）又は反応式（３）による反応の反応速度は、比較的緩慢であるので、反応式（２）、（３）に係る発熱反応によるＶＯＣ含有土壌４の温度上昇は１０〜１５℃であるものと推定される。
【００６２】
さらに、このように耕耘されているＶＯＣ含有土壌４に、排気ガスノズル７９から排出される内燃機関５６の高温（例えば、ガソリンエンジンでは６００〜８００℃）の排気ガスが大量に（例えば、２０００ｃｃ、２５００ｒｐｍのガソリンエンジンで、毎分約５ｍ３）吹き付けられので、排気ガスの顕熱により耕耘されているＶＯＣ含有土壌４の温度がさらに５〜１０℃上昇する。
【００６３】
かくして、トラクタ１５の耕耘爪６５によって耕耘されているＶＯＣ含有土壌４は、おおむね７０〜８０℃上昇する。つまり、土壌収容建屋５内の気温が平均的な２０℃であるときには、耕耘爪６５によって耕耘されているＶＯＣ含有土壌４の温度は、迅速に９０〜１００℃まで上昇し、この状態から徐々に冷却することになる。その際、ＶＯＣ含有土壌４に含まれているＶＯＣは気化し、ＶＯＣ含有土壌４は浄化されて清浄土壌４’となる。なお、以上の計算は、１トンのＶＯＣ含有土壌４に５０ｋｇの酸化カルシウムを散布した場合のものであるので、これより酸化カルシウムの散布量を増やせば、散布量に応じてＶＯＣ含有土壌４の温度がさらに上昇し、例えば１００〜１３０℃に達する。
【００６４】
（５）  ＶＯＣ処理・炭酸水生成工程
ＶＯＣ処理・炭酸水生成工程では、土壌収容建屋５内の空気に含まれるＶＯＣを処理ないしは除去するとともに、炭酸水生成システム４０により、加圧状態（例えば、３〜１０気圧）にある炭酸水を生成する。このＶＯＣ処理・炭酸水生成工程は、ＶＯＣ含有土壌４を浄化するための前記の各工程と並行して常時実施される。
【００６５】
前記のとおり、炭酸水散布・耕耘工程では、ＶＯＣ含有土壌４中のＶＯＣが、土壌収容建屋５内の空気中に気化する。そこで、土壌収容建屋５内の空気を、ブロワ３３により空気通路３４を介してボイラ３０の燃焼炉３１に送り、該空気に含まれているＶＯＣを燃焼又は分解させるようにしている。したがって、土壌収容建屋５内のＶＯＣ含有土壌４から気化したＶＯＣは大気中には排出されない。ここで、ブロワ３３により燃焼炉３１に送られる空気と同一量の空気が、外部から土壌収容建屋５の車両出入口あるいは隙間などを経由して土壌収容建屋５内に流入するので、土壌収容建屋５内の空気のＶＯＣ濃度は低水準に維持される。
【００６６】
本発明に係る土壌浄化システム１によれば、土壌収容建屋５内のＶＯＣ含有土壌４の上に酸化カルシウムを散布した上で、炭酸水を散布しつつトラクタ１５を走行させて耕耘装置６１（耕耘爪６５）でＶＯＣ含有土壌４を耕耘すれば、酸化カルシウムと水及び二酸化炭素との反応によって発生する熱により、耕耘装置４１により耕耘されているＶＯＣ含有土壌４の温度が上昇し、該ＶＯＣ含有土壌４中のＶＯＣが気化して空気中に放出される。よって、ＶＯＣ含有土壌４中のＶＯＣを効果的に除去してＶＯＣ含有土壌４を効果的に浄化することができる。
【００６７】
一方、土壌収容建屋５は、基本的には天井壁７と縦壁８とで建屋内空間６を画成する単純な箱形の建造物であるので、その内部に適宜に支柱を設置すれば、床面積ないしは建屋寸法が非常に大きく大量のＶＯＣ含有土壌を搬入ないしは収容することができる土壌収容建屋５を容易に設置することができる。そして、広い床面積（例えば、１０００〜２０００ｍ２）をもつ土壌収容建屋５内に複数のトラクタ１５を投入することにより、大量のＶＯＣ含有土壌４を効果的に浄化することができる。したがって、本発明に係る土壌浄化システム１ないしは土壌浄化方法は、ＶＯＣで汚染された多数の土地で広域的に発生する大量のＶＯＣ含有土壌（例えば、数百〜数千トン／日）を受け入れて浄化する事業においても有効に用いることができる。
【符号の説明】
【００６８】
Ｒ  炭酸水散布区画、１  土壌浄化システム、２  地面、３  床面、４  ＶＯＣ含有土壌、４’  清浄土壌、５  土壌収容建屋、６  建屋内空間、７  天井壁、８  縦壁、１０  ブルドーザ、１１  油圧ショベル、１２  酸化カルシウム散布車、１３  酸化カルシウム貯槽、１４  酸化カルシウム散布機、１５  トラクタ、１６  炭酸水散布装置、１７  区画散布器、１８  炭酸水散布制御器、１９  炭酸水通路、２０  電磁開閉弁、２１  炭酸水散布器、２２  炭酸水供給管、２３  ノズル、２４  中央管、２５  枝管、３０  ボイラ、３１  燃焼炉、３２  蒸発器、３３  ブロワ、３４  空気通路、３５  燃料通路、３６  水供給管、３７  スチーム供給管、４０  炭酸水生成システム、４１  燃焼ガス冷却器、４２  燃焼ガス加圧器、４３  ガスクーラ、４４  炭酸水生成器、４５  炭酸水貯槽、４６  炭酸水輸送ポンプ、４７  伝熱管、４８  ハウジング、５０  充填層、５１  排気通路、５２  バルブ、５３  界面活性剤供給手段、５５  車体、５６  内燃機関、５７  変速機、５８  前輪、５９  後輪、６０  運転室、６１  耕耘装置、６２  耕耘装置カバー、６３  排気ガス吹付器、６４  耕耘軸、６５  耕耘爪、６６  動力伝達軸、６７  動力伝達ケース、６９  連結機構、７１  上壁、７２  左側壁、７３  右側壁、７４  前壁、７５  後壁、７７  排気通路、７８  排気管、７９  排気ガスノズル。
【要約】
【課題】広い地域にわたって多数の土地で発生する大量のＶＯＣ含有土壌を受け入れて効果的に浄化することができる土壌浄化システムを提供する。
【解決手段】土壌浄化システム１は、土壌収容建屋５と、酸化カルシウム散布車１２と、トラクタ１５と、炭酸水散布装置１６と、ボイラ３０と、炭酸水生成システム４０とを備えている。炭酸水散布装置１６は、それぞれ土壌収容建屋５内に設定された複数の炭酸水散布区画に個別に炭酸水を散布する複数の区画散布器１７と、これらの区画散布器１７の炭酸水散布態様を制御する炭酸水散布制御器とを備えている。ボイラ３０の燃焼炉３１は、土壌収容建屋５内の空気で炭化水素系の気体燃料を燃焼させ、該空気中のＶＯＣを処理又は除去する。炭酸水生成システム４０は、燃焼炉３１の燃焼ガスから加圧状態にある炭酸水を生成して炭酸水散布装置１６に供給する。
【選択図】図１【図１】
0005899365.tif 000002
【図２】
0005899365.tif 000003
【図３】
0005899365.tif 000004
【図４】
0005899365.tif 000005
【図５】
0005899365.tif 000006